(57)【要約】【課題】  容易に開閉可能で、かつ、シャッター開閉時に、シャッターの表面に付着した水滴や塵が筐体の内部に侵入することを防ぐことができる電力機器の筐体を提供する。【解決手段】  本発明に係る電力機器を収納する電力機器の筐体は、開閉可能な扉が設けられた正面と、前記正面の反対側に設けられた裏面と、を有する箱体からなり、前記裏面は、前記裏面の上下それぞれに、前記裏面の幅方向に沿って設けられた一対のレールと、前記一対のレールを介して前記裏面の幅方向に沿って移動可能なシャッターと、前記裏面の左右一方の端部に設けられ、前記シャッターを巻き取って収納可能なシャッター収納部と、を有し、前記シャッターが前記裏面の幅方向に沿って移動することによって前記裏面を開放および閉鎖可能な構成を有することを特徴とする。【選択図】  図３
2017192189.tif 000002
【特許請求の範囲】
【請求項１】
電力機器を収納する電力機器の筐体において、
前記筐体は、開閉可能な扉が設けられた正面と、前記正面の反対側に設けられた裏面と、を有する箱体からなり、
前記裏面は、前記裏面の上下それぞれに、前記裏面の幅方向に沿って設けられた一対のレールと、前記一対のレールを介して前記裏面の幅方向に沿って移動可能なシャッターと、前記裏面の左右一方の端部に設けられ、前記シャッターを巻き取って収納可能なシャッター収納部と、を有し、
前記シャッターが前記裏面の幅方向に沿って移動することによって前記裏面を開放および閉鎖可能な構成を有することを特徴とする電力機器の筐体。
【請求項２】
請求項１記載の電力機器の筐体において、
前記シャッターを移動して前記シャッター収納部に収納することで前記裏面を開放し、
前記シャッター収納部に収納された前記シャッターを、前記裏面の前記シャッター収納部が設けられている端部と反対側の端部に移動して前記裏面を閉鎖可能な構成を有することを特徴とする電力機器の筐体。
【請求項３】
請求項１記載の電力機器の筐体において、前記シャッターと前記レールとの間に弾性体が設けられ、前記シャッターが前記弾性体を介して前記レールによって前記筐体の外部から前記筐体の内部に向かって押し付けられていることを特徴とする電力機器の筐体。
【請求項４】
請求項１記載の電力機器の筐体において、前記裏面の前記シャッター収納部が設けられている端部と反対側の端部に、前記シャッターの高さ方向に沿って設けられ、前記シャッターの端部と嵌合可能な溝を有するシャッター固定具を有することを特徴とする電力機器の筐体。
【請求項５】
請求項４記載の電力機器の筐体において、前記シャッターの前記溝と嵌合する端部に、前記シャッターの高さ方向に沿って設けられた弾性体を有することを特徴とする電力機器の筐体。
【請求項６】
請求項１記載の電力機器の筐体において、前記シャッター収納部の出入り口に、前記シャッターの高さ方向に沿って設けられ、前記シャッターを収納時に前記シャッターの外側の表面と接触可能に設けられたシャッター拭き取り体が設けられていることを特徴とする電力機器の筐体。
【請求項７】
請求項６記載の電力機器の筐体において、前記シャッター拭き取り体は、ゴム、樹脂または布からなることを特徴とする電力機器の筐体。
【請求項８】
請求項１ないし７のいずれか１項に記載の電力機器の筐体において、前記電力機器が配電盤であることを特徴とする電力機器の筐体。
【発明の詳細な説明】
【技術分野】
【０００１】
本発明は、電力機器の筐体に関する。
【背景技術】
【０００２】
配電盤など、電力系統の制御および保護を行う電力機器（例えば、遮断器を含む配電盤）を収納する筐体は、一般に、内部に電力機器を収納し、筐体の一部を取り外して収納機器の保守および点検を行うことができるように構成されている。
【０００３】
特許文献１には、床板、側面板、天井板、背面部材、正面扉で箱体が構成される金属閉鎖形スイッチギヤであって、箱体の背面側の両側に床板から天井板まで延びた一対のレールを設け、この一対のレール内に背面部材の両側辺を嵌め込み、移動自在としたことを特徴とする金属閉鎖形スイッチギヤが記載されている。特許文献１には、筐体の裏面側を構成する上下２枚の板のうち、片方の板を、筐体の上下高さ方向に延びたレールによって移動するか、または、裏面板をシャッターで構成し、上下どちらかにある巻き取り部に収納することによって背面板の開放を容易にして作業性を向上させることが記載されている。
【先行技術文献】
【特許文献】
【０００４】
【特許文献１】特開２０１２‐７５２３９号公報
【発明の概要】
【発明が解決しようとする課題】
【０００５】
上記特許文献１に記載された筐体は、裏面（背面）を覆う板またはシャッターを上下方向に駆動させて筐体の裏面を開放するものであるが、これを屋外の配電盤に適用するとなると、裏面を構成する板またはシャッターの表面（外側の表面）に付着した水滴や塵が、裏面開放時に重力によって落下し、筐体内に侵入して電力機器の故障を招く可能性がある。また、裏面を上下２枚の板で構成する場合、どちらか一方の段の作業時に、もう一方の段の板が作業の障害となる可能性がある。さらに、上下方向に手動で駆動する１枚のシャッターの場合、筐体の高さが作業者よりも高い場合には、シャッターの把手を掴んで持ち上げ、裏面全体を開放させることは重労働となり、作業性が悪化することが予想される。
【０００６】
本発明は、上記事情に鑑み、容易に開閉可能で、かつ、シャッター開閉時に、シャッターの表面に付着した水滴や塵が筐体の内部に侵入することを防ぐことができる電力機器の筐体を提供することを目的とする。
【課題を解決するための手段】
【０００７】
上記課題を解決するために、本発明は、電力機器を収納する電力機器の筐体において、上記筐体は、開閉可能な扉が設けられた正面と、正面の反対側に設けられた裏面と、を有する箱体からなり、上記裏面は、裏面の上下それぞれに、裏面の幅方向に沿って設けられた一対のレールと、該一対のレールを介して裏面の幅方向に沿って移動可能なシャッターと、裏面の左右一方の端部に設けられ、シャッターを巻き取って収納可能なシャッター収納部と、を有し、シャッターが裏面の幅方向に沿って移動することによって裏面を開放および閉鎖可能な構成を有することを特徴とする電力機器の筐体を提供する。
【発明の効果】
【０００８】
本発明によれば、容易に開閉可能で、かつ、シャッター開閉時に、シャッターの表面に付着した水滴や塵が筐体の内部に侵入することを防ぐことができる電力機器の筐体を提供する
【０００９】
上記した以外の課題、構成および効果は、以下の実施形態の説明により明らかにされる。
【図面の簡単な説明】
【００１０】
【図１】本発明の実施例に係る電力機器の筐体の一例を模式的に示す断面図である。
【図２】図１の筐体の裏面の正面図である。
【図３】図１の筐体の平面図である。
【図４】図３のシャッター収納部５を拡大する図である。
【発明を実施するための形態】
【００１１】
以下、図面を用いて、本発明に係る実施形態を詳細に説明する。
【実施例】
【００１２】
図１は本発明の実施例に係る電力機器の筐体の一例を模式的に示す断面図であり、図２は図１の筐体の裏面の正面図であり、図３は図１の筐体の平面図である。図１および図３に示すように、筐体１の内部に、電力機器２０を収納している。電力機器２０としては、例えば、引出形の遮断器を実装した段積み構成可能な気中型の配電盤が挙げられる。
【００１３】
筐体１は、開閉可能な扉が設けられた正面３、正面３の反対側に設けられた裏面（背面）６、屋根２、床ベース４および一対の側面１３を含む箱体で構成される。正面３は把手１４が設けられた扉から構成され、筐体１の内部に収納された電力機器２０を通常操作するために開閉される。
【００１４】
図１〜３に示すように、裏面６には、裏面６の上下それぞれに、裏面６の幅方向に沿って設けられた一対のレール７と、一対のレール７を介して裏面６の幅方向に沿って移動可能なシャッター１１と、裏面６の左右一方の端部に、シャッター１１を巻き取って収納可能なシャッター収納部５が設けられている。レール７は溝（図示せず）を有し、上下一対のレール７のそれぞれの溝にシャッター１１の上端および下端がそれぞれ嵌め込まれ、シャッター１１の移動が自在になっている。したがって、図２のように裏面６がシャッター１１で閉鎖されている状態から、シャッター１１を移動（図２の紙面右方向に移動）してシャッター収納部５に収納することで、裏面６を開放することができる。また、逆に、シャッター収納部５に収納されたシャッター１１を、裏面６のシャッター収納部５が設けられている端部と反対側の端部に移動（図２の紙面左方向に移動）することで裏面６を閉鎖可能な構成を有する。このように裏面６のバリヤ構造を、シャッター１１によって開放および閉鎖自在な構成とすることで、電力機器２０の裏側の操作が可能となり、電力機器２０の保守および点検（メンテナンス）を行うことができる。１枚のシャッター１１で裏面６の全面を開放および閉鎖可能な構成としているので、１度のシャッターの開閉作業で背面６を開放および閉鎖することができ、裏面６の開放および閉鎖作業を容易に行うことができる。シャッター１１の移動を手動で行う場合であっても、シャッターの移動は横方向の動きで行うことができるので、開閉時の労力は筐体１の高さによらないものとすることができる。
【００１５】
図３に示すように、シャッター収納部５を筐体１の外部に設置して、シャッター１１を電力機器２０と離れた空間に一括して収納すれば、筐体１内の電力機器の設置スペースを狭小化することが無く、またシャッター１１を収納してメンテナンス作業を行う際にも、十分な作業スペースを確保することができる。
【００１６】
上述したように、本発明では、筐体１の背面６をいわゆる横開き型シャッターとすることで、背面６の開放および閉鎖を容易にしている。この結果、筐体１の内部に収納された配電盤２０のメンテナンス作業を容易に行うことができる。また、筐体１の内部に収納する電力機器２０が、例えば太陽光発電システムを構成するものである場合、筐体１を野外に設置することが想定される。筐体１が野外に設置される場合、シャッター１１の表面には風雨に曝されることによって水滴や埃が付着するが、特許文献１のような縦開き型のシャッターの場合、このシャッター表面に付着した水滴や埃がシャッターの開閉時に重力によって落下するとき、筐体の開放された部分から筐体１の内部に侵入するおそれがある。これに対し、本発明は、シャッター１１を横開き型としているため、シャッター１１の表面に水滴や埃が付着していたとしても、水滴や埃はシャッター１１に沿って落下するため、水滴や埃が筐体１の開放された部分から内部に侵入することを防止することができる。
【００１７】
図１に示すように、シャッター１１とレール７との間に弾性体（シール部材）８が設けられ、シャッター１１が、弾性体８を介してレール７によって筐体１の外部から内部に向かって押し付けられている構成とすることが好ましい。このような構成とすることで、筐体１の密閉性を高め、シャッター１１と外部との隙間から水滴や埃が筐体１の内部に侵入することを防ぐことができる。弾性体８は、特に限定は無いが、ゴムまたは樹脂からなるパッキンを用いることがコストの観点から好ましい。
【００１８】
また、図３に示すように、裏面６のシャッター収納部５が設けられている端部と反対側の端部に、シャッター１１の高さ方向に沿って設けられ、シャッターの端部と嵌合可能な溝を有するシャッター固定具（溝付き金具）１０を有し、シャッター１１の端部（シャッター収納部５と反対側の端部）には、この溝と嵌合可能な弾性体９が設けられていることが好ましい。背面６の閉鎖時に、このシャッター固定具１０にシャッター１１の弾性体９を嵌め込むことで、上述した弾性体８と同様、筐体１の密閉性を高め、シャッター１１と外部との隙間から水滴や埃が筐体１の内部に侵入することを防ぐことができる。弾性体９も、弾性体８と同様にゴムまたは樹脂からなるパッキンが好適である。
【００１９】
図４は図３のシャッター収納部５を拡大する図である。図４に示すように、シャッター収納部５のシャッター１１の出入り口には、シャッター１１の高さ方向に沿って、シャッター１１収納時にシャッター１１の外側の表面と接触可能に設けられたシャッター拭き取り体１２が設けられていることが好ましい。このような構成を有することで、シャッター１１の収納時に、シャッター１１の外側の表面に付着した水滴や埃を拭き取り、次にシャッター１１をシャッター収納部５から引き出す際に、筐体１内部に水滴や埃が侵入することを防止することができる。シャッター拭き取り体１２としては、特に限定は無いが、ゴム、樹脂および布等が好適である。シャッター巻き取り部５の下側に穴を設けておけば、シャッター拭き取り体１２によって拭き取られた水滴や埃を外部に排出し、配電盤内への水滴や埃の侵入を防止し、かつ、シャッター巻き取り部５に水滴や埃が溜まることを防ぐことが可能になる。
【００２０】
以上、説明したように、本発明によれば、容易に開閉可能で、かつ、シャッター開閉時に、シャッターの表面に付着した水滴や塵が筐体の内部に侵入することを防ぐことができる電力機器の筐体を提供することができることが示された。
【００２１】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００２２】
１…電力機器の筐体、２…屋根、３…正面扉、４…床ベース、５…シャッター収納部（シャッター巻き取り部）、６…裏面、７…レール、８，９…弾性体、１０…シャッター固定具（溝付き金具）、１１…シャッター、１２…シャッター拭き取り体、１３…側面、１４…把手、２０…配電盤。
【図１】
2017192189.tif 000003
【図２】
2017192189.tif 000004
【図３】
2017192189.tif 000005
【図４】
2017192189.tif 000006